(57)【要約】【課題】ＭＢＳＦＮサブフレームを運用する基地局がその配下の端末に割当可能なサブフレーム数を減らすことなく、端末との接続が優先される別の基地局との接続維持又は当該別の基地局へ接続切替を行うこと。【解決手段】無線通信端末と、当該無線通信端末との接続が優先される第１基地局と、配下の無線通信端末へのデータ送信にＭＢＳＦＮサブフレームを運用する第２基地局とを備えた無線通信システムにおいて、ＭＢＳＦＮサブフレームは、第２基地局が制御情報を含む信号を送信する第１のシンボルと、それ以外の第２のシンボルとを含む。無線通信端末は、第２のシンボルのいずれかに一致したタイミングで第１基地局のセルを測定し、測定結果を前記第１の基地局へ送信する。【選択図】図１
2014150300.tif 000002
【特許請求の範囲】
【請求項１】
無線通信端末と、当該無線通信端末との接続が優先される第１基地局と、配下の無線通信端末へのデータ送信にＭＢＳＦＮサブフレームを運用する第２基地局と、を備えた無線通信システムにおける前記第１基地局のセルの測定方法であって、
前記ＭＢＳＦＮサブフレームは、前記第２基地局が制御情報を含む信号を送信する第１のシンボルと、それ以外の第２のシンボルと、を含み、
前記無線通信端末は、
前記第２のシンボルのいずれかに一致したタイミングで前記第１基地局のセルを測定し、
測定結果を前記第１の基地局へ送信する、
ことを特徴とするセル測定方法。
【請求項２】
請求項１に記載のセル測定方法であって、
前記第１のシンボルは、前記ＭＢＳＦＮサブフレームが含む複数のシンボルの内、時系列で最初及び２番目のシンボル又は前記最初のシンボルのみであることを特徴とするセル測定方法。
【請求項３】
請求項１又は２に記載のセル測定方法であって、
前記第１基地局は、前記第２のシンボルのいずれかに一致したタイミングで前記第１基地局のセルを測定するか否かを示す情報を前記無線通信端末に送信することを特徴とするセル測定方法。
【請求項４】
請求項１〜３のいずれか一項に記載のセル測定方法であって、
前記第１基地局は、前記ＭＢＳＦＮサブフレームに一致したサブフレームで前記第１基地局のセルを測定するタイミングが、時系列で最初のシンボル以降か、２番目のシンボル以降か、３番目のシンボル以降かを示す情報を前記無線通信端末に送信することを特徴とするセル測定方法。
【請求項５】
請求項１又は２に記載のセル測定方法であって、
前記第１基地局は、自セル測定用サブフレームを示す測定サブフレームパターン、及び前記第２の基地局のセルを含む隣接セルの設定に係る隣接セル設定を、前記無線通信端末に送信し、
前記無線通信端末は、前記測定サブフレームパターン及び前記隣接セル設定に基づき、前記自セル測定用サブフレームが前記隣接セルのＭＢＳＦＮサブフレームと一致する場合があると判断した場合に、前記第１基地局が提供する自セルのＭＢＳＦＮサブフレームと一致しない自セル測定用サブフレームにおいて、前記第２のシンボルのいずれかに一致したタイミングで前記第１基地局のセルを測定することを特徴とするセル測定方法。
【請求項６】
請求項５に記載のセル測定方法であって、
前記無線通信端末は、前記隣接セル設定に基づき、前記隣接セルにおいてＭＢＳＦＮサブフレームが設定されていないと判断した場合に、前記自セルのＭＢＳＦＮサブフレームと一致しない自セル測定用サブフレームにおいて、前記第１のシンボル又は前記第２のシンボルに一致したタイミングで前記第１基地局のセルを測定することを特徴とするセル測定方法。
【請求項７】
請求項５に記載のセル測定方法であって、
前記無線通信端末は、前記隣接セル設定に基づき、前記自セル測定用サブフレームが前記隣接セルのＭＢＳＦＮサブフレームと一致する場合がないと判断した場合に、前記自セルのＭＢＳＦＮサブフレームと一致しない自セル測定用サブフレームにおいて、前記第１のシンボル又は前記第２のシンボルに一致したタイミングで前記第１基地局のセルを測定することを特徴とするセル測定方法。
【請求項８】
請求項１〜７のいずれか一項に記載のセル測定方法であって、
前記無線通信端末は、前記第１の基地局における自セル測定用のサブフレームが自セルのＭＢＳＦＮサブフレームと一致する場合に、前記第１のシンボルに一致したタイミングで前記第１の基地局のセルを測定することを特徴とするセル測定方法。
【請求項９】
請求項５〜７のいずれか一項に記載のセル測定方法であって、
前記無線通信端末は、前記測定サブフレームパターンが示す前記自セル測定用のサブフレームが自セルのＭＢＳＦＮサブフレームの全てと一致するか否かを判定し、全てと一致はしないと判定した場合には、前記自セルのＭＢＳＦＮサブフレーム以外のサブフレームにおいて前記第１基地局のセルを測定することを特徴とするセル測定方法。
【請求項１０】
請求項９に記載のセル測定方法であって、
前記無線通信端末は、前記隣接セル設定に基づいて、前記隣接セルにＭＢＳＦＮサブフレームが設定されていない、又は前記隣接セルのＭＢＳＦＮサブフレームが前記自セルのＭＢＳＦＮサブフレームに一致するとさらに判定した場合に、前記自セルのＭＢＳＦＮサブフレーム以外のサブフレームにおいて前記第１のシンボル又は前記第２のシンボルに一致したタイミングで前記第１の基地局のセルを測定することを特徴とするセル測定方法。
【請求項１１】
請求項１〜１０のいずれか一項に記載のセル測定方法であって、
前記第２基地局は、ＣＳＧリレーノードであることを特徴とするセル測定方法。
【請求項１２】
無線通信端末と、当該無線通信端末との接続が優先される第１基地局と、配下の無線通信端末へのデータ送信にＭＢＳＦＮサブフレームを運用する第２基地局と、を備えた無線通信システムで用いられる前記無線通信端末であって、
前記ＭＢＳＦＮサブフレームは、前記第２基地局が制御情報を含む信号を送信する第１のシンボルと、それ以外の第２のシンボルと、を含み、
前記第２のシンボルのいずれかに一致したタイミングで前記第１基地局のセルを測定するセル測定部と、
測定結果を前記第１の基地局へ送信する送信部と、
を備えたことを特徴とする無線通信端末。
【請求項１３】
請求項１２に記載の無線通信端末であって、
前記第１のシンボルは、前記ＭＢＳＦＮサブフレームが含む複数のシンボルの内、時系列で最初及び２番目のシンボル又は前記最初のシンボルのみであることを特徴とする無線通信端末。
【請求項１４】
請求項１２又は１３に記載の無線通信端末であって、
前記第１基地局から送信された、前記第２のシンボルのいずれかに一致したタイミングで前記第１基地局のセルを測定するか否かを示す情報を受信する受信部を備えたことを特徴とする無線通信端末。
【請求項１５】
請求項１２〜１４のいずれか一項に記載の無線通信端末であって、
前記第１基地局から送信された、前記ＭＢＳＦＮサブフレームに一致したサブフレームで前記第１基地局のセルを測定するタイミングが、時系列で最初のシンボル以降か、２番目のシンボル以降か、３番目のシンボル以降かを示す情報を受信する受信部を備えたことを特徴とする無線通信端末。
【請求項１６】
請求項１２又は１３に記載の無線通信端末であって、
前記第１基地局から送信された、自セル測定用サブフレームを示す測定サブフレームパターン、及び前記第２の基地局のセルを含む隣接セルの設定に係る隣接セル設定を受信する受信部を備え、
前記セル測定部は、前記測定サブフレームパターン及び前記隣接セル設定に基づき、前記自セル測定用サブフレームが前記隣接セルのＭＢＳＦＮサブフレームと一致する場合があると判断した場合に、前記第１基地局が提供する自セルのＭＢＳＦＮサブフレームと一致しない自セル測定用サブフレームにおいて、前記第２のシンボルのいずれかに一致したタイミングで前記第１基地局のセルを測定することを特徴とする無線通信端末。
【請求項１７】
請求項１６に記載の無線通信端末であって、
前記セル測定部は、前記隣接セル設定に基づき、前記隣接セルにおいてＭＢＳＦＮサブフレームが設定されていないと判断した場合に、前記自セルのＭＢＳＦＮサブフレームと一致しない自セル測定用サブフレームにおいて、前記第１のシンボル又は前記第２のシンボルに一致したタイミングで前記第１基地局のセルを測定することを特徴とする無線通信端末。
【請求項１８】
請求項１６に記載の無線通信端末であって、
前記セル測定部は、前記隣接セル設定に基づき、前記自セル測定用サブフレームが前記隣接セルのＭＢＳＦＮサブフレームと一致する場合がないと判断した場合に、前記自セルのＭＢＳＦＮサブフレームと一致しない自セル測定用サブフレームにおいて、前記第１のシンボル又は前記第２のシンボルに一致したタイミングで前記第１基地局のセルを測定することを特徴とする無線通信端末。
【請求項１９】
請求項１２〜１８のいずれか一項に記載の無線通信端末であって、
前記セル測定部は、前記第１の基地局における自セル測定用のサブフレームが自セルのＭＢＳＦＮサブフレームと一致する場合に、前記第１のシンボルに一致したタイミングで前記第１の基地局のセルを測定することを特徴とする無線通信端末。
【請求項２０】
請求項１６〜１８のいずれか一項に記載の無線通信端末であって、
前記セル測定部は、前記測定サブフレームパターンが示す前記自セル測定用のサブフレームが自セルのＭＢＳＦＮサブフレームの全てと一致するか否かを判定し、全てと一致はしないと判定した場合には、前記自セルのＭＢＳＦＮサブフレーム以外のサブフレームにおいて前記第１基地局のセルを測定することを特徴とする無線通信端末。
【請求項２１】
請求項２０に記載の無線通信端末であって、
前記セル測定部は、前記隣接セル設定に基づいて、前記隣接セルにＭＢＳＦＮサブフレームが設定されていない、又は前記隣接セルのＭＢＳＦＮサブフレームが前記自セルのＭＢＳＦＮサブフレームに一致するとさらに判定した場合に、前記自セルのＭＢＳＦＮサブフレーム以外のサブフレームにおいて前記第１のシンボル又は前記第２のシンボルに一致したタイミングで前記第１の基地局のセルを測定することを特徴とする無線通信端末。
【請求項２２】
無線通信端末と、当該無線通信端末との接続が優先される第１基地局と、配下の無線通信端末へのデータ送信にＭＢＳＦＮサブフレームを運用する第２基地局と、を備えた無線通信システムで用いられる前記第１基地局に該当する無線通信装置であって、
前記ＭＢＳＦＮサブフレームは、前記第２基地局が制御情報を含む信号を送信する第１のシンボルと、それ以外の第２のシンボルと、を含み、
前記無線通信装置は、
前記第２のシンボルのいずれかに一致したタイミングで前記第１基地局のセルを測定するか否かを示す情報を前記無線通信端末に送信する送信部と、
前記無線通信端末が前記第２のシンボルのいずれかに一致したタイミングで前記第１基地局のセルを測定した結果を受信する受信部と、
を備えたことを特徴とする無線通信装置。
【請求項２３】
無線通信端末と、当該無線通信端末との接続が優先される第１基地局と、配下の無線通信端末へのデータ送信にＭＢＳＦＮサブフレームを運用する第２基地局と、を備えた無線通信システムで用いられる前記第１基地局に該当する無線通信装置であって、
前記ＭＢＳＦＮサブフレームは、前記第２基地局が制御情報を含む信号を送信する第１のシンボルと、それ以外の第２のシンボルと、を含み、
前記無線通信装置は、
前記ＭＢＳＦＮサブフレームに一致したサブフレームで前記第１基地局のセルを測定するタイミングが、時系列で最初のシンボル以降か、２番目のシンボル以降か、３番目のシンボル以降かを示す情報を前記無線通信端末に送信する送信部と、
前記無線通信端末が前記第２のシンボルのいずれかに一致したタイミングで前記第１基地局のセルを測定した結果を受信する受信部と、
を備えたことを特徴とする無線通信装置。
【発明の詳細な説明】
【技術分野】
【０００１】
本発明は、無線通信基地局が特定のリソースにおいて、無線通信端末に送信するトラフィック量を低減する又は無線信号の送信電力を低減する無線通信端末、無線通信装置及びセル測定方法に関する。
【背景技術】
【０００２】
標準化団体３ＧＰＰ（The 3rd Generation Partnership Project）は、ＬＴＥ（Long Term Evolution）方式と互換性のある次世代の通信規格として、ＬＴＥ−Ａｄｖａｎｃｅｄ（Long Term Evolution Advanced：ＬＴＥ−Ａ）の標準化を進めている。ＬＴＥでは、ネットワーク（Evolved Universal Terrestrial Radio Access Network（E-UTRAN））の無線通信基地局（E-UTRAN NodeB：eNB）は、１つ以上の通信セルを提供する。無線通信端末（User Equipment：UE）は、そのうちの１つの通信セルに属する。以下、無線通信基地局（eNB）を単に「基地局」といい、通信セルを単に「セル」といい、無線通信端末（UE）を単に「端末」という。
【０００３】
ＬＴＥ−Ａでは、セル間干渉制御（Inter-Cell Interference Coordination：ICIC）の方法として、時間領域におけるセル間の干渉を防止してリソースを保護する制御のために、オールモーストブランクサブフレーム（Almost Blank Subframe：ABS）が使用される。ＡＢＳは、基地局が信号を送信しない又は送信電力を低減したサブフレームのことである。ＡＢＳを設けることにより、他の基地局と端末の間の通信に与える干渉を低減できる。
【０００４】
端末は、基地局との接続を維持するために必要な情報の一部又は全部をＡＢＳで送信する場合がある。基地局との接続を維持するために必要な情報とは、例えば、プライマリー同期信号（Primary Synchronization Signal：PSS）、セカンダリー同期信号(Secondary Synchronization Signal：SSS)、セル参照信号（Cell Reference Signal：CRS）、物理報知チャネル（Physical Broadcast CHannel：PBCH）、報知情報タイプ１（System Information Block Type 1：SIB1）、ページング(Paging)、又は位置参照信号（Positioning Reference Signal：PRS）などである。
【０００５】
このような特徴を持つＡＢＳの使用方法の一例を以下に示す。
【０００６】
図１７（ａ）及び（ｂ）並びに図１８（ａ）及び（ｂ）は、ＡＢＳを使用する一例を説明する図である。図１７（ａ）及び図１８（ａ）に示すように、カバレッジエリアが広いマクロセルを中心としたセル配置に加えて、大容量のトラヒックが集中して発生する屋内施設等のローカルエリアを効率的にカバーするために、カバレッジエリアが狭い低送信電力セル（Low Power Node：LPN）をマクロセル内に配置するネットワークが検討されている。低送信電力セルとは、中継基地局（Relay Node：RN）が管理するセル、マクロセルと同じ機能を有した送信電力が低いピコセル、及び基地局間のインタフェース（Ｘ２インタフェース）を持たず特定のメンバーだけが接続することができるＣＳＧ（Closed Subscriber Group）セル等である。
【０００７】
図１７（ａ）は、同一周波数上において、マクロセルのカバレッジ内にピコセルが配置された例を示す図である。例えば、時間領域セル間干渉制御は、図１７（ａ）に示すように、ピコセルの端（セルエッジ）に位置する、ピコセルに接続中の端末によって使用される。当該例においてＡＢＳは、例えば、マクロセルの負荷をピコセルに分散させるために使用される。
【０００８】
図１７（ａ）に示した例において、ＡＢＳは、図１７（ｂ）に示すように、ピコセルの特定のサブフレームをマクロセルからの干渉から保護するため、マクロセルによって設定される。なお、ピコセルに接続している端末は、移動制御のための無線リソース管理（Radio Resource Management：RRM）用の測定（measurement）、無線リンク監視（Radio Link Monitoring：RLM）、及びチャネル状況情報測定（Channel State Information measurement：CSI measurement）などを、その保護されたリソースを使用して行う。ピコセルは、そのサブフレームを使用して当該端末にデータ送信を行う。
【０００９】
端末は、測定リソース制限（Measurement Resource Restriction）に基づく測定サブフレームパターン（Measurement Subframe Pattern）を通知してもらうことにより、保護されたリソースを知ることができる。これにより、端末がマクロセルからの干渉が低減されるタイミングで測定すれば、ピコセルの測定結果が従来よりも良くなる。すなわち、マクロセルのＡＢＳのタイミングにおいてはピコセルの範囲を広げることができるため、端末はピコセルへの接続を維持しやすい。その結果、マクロセルの負荷をピコセルに分散できる。
【００１０】
また、隣接セルに接続中の端末も、ピコセルを測定リソース制限（Measurement Resource Restriction）に基づく測定サブフレームパターン（Measurement Subframe Pattern）を用いて測定すれば、マクロセルからの強い干渉下にあるピコセルの測定結果が従来よりも良くなる。このため、ピコセルへの接続の切替（ハンドオーバ）が行われやすくなる。その結果、マクロセルの負荷をピコセルに分散できる。
【００１１】
図１８（ａ）は、同一周波数上において、マクロセルのカバレッジ内にＣＳＧセルが配置された例を示す図である。例えば、時間領域セル間干渉制御は、図１８（ａ）に示すように、ＣＳＧセルの端（セルエッジ）に位置する、マクロセルに接続中の端末によって使用される。当該例においてＡＢＳは、例えば、ＣＳＧセルへの接続を許されていない端末が、マクロセルとの接続を維持するために使用される。
【００１２】
図１８（ａ）に示した例において、ＡＢＳは、図１８（ｂ）に示すように、マクロセルの特定のサブフレームをＣＳＧセルからの干渉から保護するため、ＣＳＧセルによって設定される。ＣＳＧセルへの接続を許されていない端末は、マクロセルに接続しているとき、移動制御のための無線リソース管理（Radio Resource Management：RRM）用の測定、無線リンク監視（Radio Link Monitoring：RLM）、及びチャネル状況情報測定（Channel State Information measurement：CSI measurement）などを、その保護されたリソースを使用して行う。マクロセルは、そのサブフレームを使用して当該端末にデータ送信を行う。
【００１３】
端末は、測定リソース制限（Measurement Resource Restriction）に基づく測定サブフレームパターンを通知してもらうことにより、保護されたリソースを知ることができる。これにより、端末がＣＳＧセルからの干渉が低減されるタイミングで測定すれば、マクロセルの測定結果が従来よりも良くなる。すなわち、ＣＳＧのＡＢＳのタイミングにおいて、端末はマクロセルへの接続を維持しやすい。
【先行技術文献】
【非特許文献】
【００１４】
【非特許文献１】3GPP TS36.300 v10.3.0, “Evolved Universal Terrestrial Radio Access (E-UTRA) and Evolved Universal Terrestrial Radio Access Network (E-UTRAN)”
【非特許文献２】3GPP TS36.331 v10.1.0, “Evolved Universal Terrestrial Radio Access (E-UTRA) Radio Resource Control (RRC)”
【発明の概要】
【発明が解決しようとする課題】
【００１５】
複数種の基地局の中には、ＭＢＳＦＮ（MBMS(Multimedia Broadcast and Multicast Service) over a Single Frequency Network）サブフレームとＡＢＳの両方を運用する基地局がある。例えば、ＣＳＧセルを運用するリレーノード（Relay Node：RN）がこの種の基地局である。以下、このリレーノードを「ＣＳＧリレーノード」という。
【００１６】
ＣＳＧリレーノードは、ＣＳＧリレーノードへの接続が許されていない端末が、このＣＳＧリレーノードのカバレッジ内で、接続可能な基地局との接続を維持するために、ＡＢＳを導入する必要がある。一方、ＣＳＧリレーノードは、当該ＣＳＧリレーノードと接続する基地局（Donor eNB：DeNB）がこのＣＳＧリレーノードに個別信号（Dedicated Signaling）を送信するUn DLサブフレーム（Un Downlink Subframe）のタイミングにおける、カバレッジ内の（配下の）端末に対するUu DLサブフレーム（Uu Downlink Subframe）を、ＭＢＳＦＮサブフレームに設定する。これは、ＣＳＧリレーノードが、基地局（DeNB）から個別信号を受信するUn DLサブフレームのタイミングで、端末に信号を送信できないためである。このように、ＣＳＧリレーノードはＭＢＳＦＮサブフレームとＡＢＳの両方を運用するために、ＣＳＧリレーノードがその配下の端末に割り当てることのできるサブフレーム数が減ってしまうという課題があった。
【００１７】
本発明の目的は、ＭＢＳＦＮサブフレームを運用する基地局がその配下の端末に割当可能なサブフレーム数を減らすことなく、端末との接続が優先される別の基地局との接続維持又は当該別の基地局への接続切替が可能な無線通信端末、無線通信装置及びセル測定方法を提供することである。
【課題を解決するための手段】
【００１８】
本発明は、無線通信端末と、当該無線通信端末との接続が優先される第１基地局と、配下の無線通信端末へのデータ送信にＭＢＳＦＮサブフレームを運用する第２基地局と、を備えた無線通信システムにおける前記第１基地局のセルの測定方法であって、前記ＭＢＳＦＮサブフレームは、前記第２基地局が制御情報を含む信号を送信する第１のシンボルと、それ以外の第２のシンボルと、を含み、前記無線通信端末は、前記第２のシンボルのいずれかに一致したタイミングで前記第１基地局のセルを測定し、測定結果を前記第１の基地局へ送信するセル測定方法を提供する。
【００１９】
本発明は、無線通信端末と、当該無線通信端末との接続が優先される第１基地局と、配下の無線通信端末へのデータ送信にＭＢＳＦＮサブフレームを運用する第２基地局と、を備えた無線通信システムで用いられる前記無線通信端末であって、前記ＭＢＳＦＮサブフレームは、前記第２基地局が制御情報を含む信号を送信する第１のシンボルと、それ以外の第２のシンボルと、を含み、前記第２のシンボルのいずれかに一致したタイミングで前記第１基地局のセルを測定するセル測定部と、測定結果を前記第１の基地局へ送信する送信部と、を備えた無線通信端末を提供する。
【００２０】
本発明は、無線通信端末と、当該無線通信端末との接続が優先される第１基地局と、配下の無線通信端末へのデータ送信にＭＢＳＦＮサブフレームを運用する第２基地局と、を備えた無線通信システムで用いられる前記第１基地局に該当する無線通信装置であって、前記ＭＢＳＦＮサブフレームは、前記第２基地局が制御情報を含む信号を送信する第１のシンボルと、それ以外の第２のシンボルと、を含み、前記無線通信装置は、前記第２のシンボルのいずれかに一致したタイミングで前記第１基地局のセルを測定するか否かを示す情報を前記無線通信端末に送信する送信部と、前記無線通信端末が前記第２のシンボルのいずれかに一致したタイミングで前記第１基地局のセルを測定した結果を受信する受信部と、を備えた無線通信装置を提供する。
【００２１】
本発明は、無線通信端末と、当該無線通信端末との接続が優先される第１基地局と、配下の無線通信端末へのデータ送信にＭＢＳＦＮサブフレームを運用する第２基地局と、を備えた無線通信システムで用いられる前記第１基地局に該当する無線通信装置であって、前記ＭＢＳＦＮサブフレームは、前記第２基地局が制御情報を含む信号を送信する第１のシンボルと、それ以外の第２のシンボルと、を含み、前記無線通信装置は、前記ＭＢＳＦＮサブフレームに一致したサブフレームで前記第１基地局のセルを測定するタイミングが、時系列で最初のシンボル以降か、２番目のシンボル以降か、３番目のシンボル以降かを示す情報を前記無線通信端末に送信する送信部と、前記無線通信端末が前記第２のシンボルのいずれかに一致したタイミングで前記第１基地局のセルを測定した結果を受信する受信部と、を備えた無線通信装置を提供する。
【発明の効果】
【００２２】
本発明に係る無線通信端末、無線通信装置及びセル測定方法によれば、ＭＢＳＦＮサブフレームを運用する基地局がその配下の端末に割当可能なサブフレーム数を減らすことなく、端末との接続が優先される別の基地局との接続維持又は当該別の基地局への接続切替が可能である。
【図面の簡単な説明】
【００２３】
【図１】第１の実施形態の無線通信システムにおける端末、基地局及びＣＳＧリレーノードの関係を示す図
【図２】ＣＳＧリレーノードが設定したＭＢＳＦＮサブフレームにおける、基地局（DeNB）のセルとＣＳＧリレーノードのセルのデータ送信状況を示す図
【図３】第１の実施形態の端末と当該端末が接続している基地局（DeNB）との間のメッセージの一例を示す図
【図４】第１の実施形態の無線通信システムを構成する端末のブロック図
【図５】第１の実施形態の無線通信システムを構成する基地局（DeNB）のブロック図
【図６】第２の実施形態の端末と当該端末が接続している基地局（DeNB）との間のメッセージの一例を示す図
【図７】（ａ）及び（ｂ）は、自セルのＭＢＳＦＮサブフレームと隣接セルのＭＢＳＦＮサブフレームの関係を表すベン図
【図８】第２の実施形態の無線通信システムを構成する端末のブロック図
【図９】第２の実施形態の無線通信システムを構成する基地局（DeNB）のブロック図
【図１０】第２の実施形態の端末の動作フローの一例を示すフローチャート
【図１１】第３の実施形態の無線通信システムを構成する端末のブロック図
【図１２】第３の実施形態の端末の動作を示すフローチャート
【図１３】第４の実施形態の無線通信システムを構成する端末のブロック図
【図１４】第４の実施形態の端末の動作を示すフローチャート
【図１５】第５の実施形態の無線通信システムを構成する端末のブロック図
【図１６】第５の実施形態の端末の動作を示すフローチャート
【図１７】（ａ）及び（ｂ）は、ＡＢＳを使用する一例を説明する図
【図１８】（ａ）及び（ｂ）は、ＡＢＳを使用する一例を説明する図
【発明を実施するための形態】
【００２４】
以下、本発明の実施形態について、図面を参照して説明する。
【００２５】
本発明に係る無線通信システムの実施の形態について、図面を参照して詳細に説明する。以下説明する実施形態の無線通信システムは、少なくとも１つの無線通信端末と、無線通信ネットワークを介して無線通信端末と通信可能な少なくとも１つの無線通信基地局と、無線通信ネットワークを介して無線通信端末と通信可能な少なくとも１つのＣＳＧリレーノードとを備える。以下の説明では、無線通信端末を単に「端末」という。端末は、例えば携帯電話機である。また、無線通信基地局を単に「基地局」という。基地局は、例えば、マクロセルを管理するマクロ基地局、ピコセルを管理するピコ基地局、基地局から離れたエリアに設置される張り出し基地局（Remote Radio Head：RRH）、基地局と無線で接続される中継装置（リレーノード又はリピーター）、及びＣＳＧセルを管理するＣＳＧ基地局等を総称した、端末が無線で接続可能な基地局である。なお、ＣＳＧリレーノードも基地局の一種である。
【００２６】
無線通信システムは、３ＧＰＰ（The 3rd Generation Partnership Project）で規格化されているＬＴＥ又はＬＴＥ−Ａの移動通信技術を利用する。但し、無線通信システムが利用する移動通信技術は、上記規格に限られず、無線ＬＡＮ（Wireless Local Area Network）、ＩＥＥＥ８０２.１６、ＩＥＥＥ８０２.１６ｅ若しくはＩＥＥＥ８０２.１６ｍ等のＷｉＭＡＸ（Worldwide Interoperability for Microwave Access）、３ＧＰＰ２、ＳＡＥ（System Architecture Evolution）、ＵＭＴＳ（Universal Mobile Telecommunications System）、又は第四世代移動通信規格であっても良い。
【００２７】
各無線通信基地局は、少なくとも１つの通信セルを構成する。通信セルは、地理的エリアに対して割り当てられた識別子又は当該地理的エリアで用いられる周波数の相違に基づいて、端末がユニークに識別できる無線ネットワークオブジェクトをいう。
【００２８】
以下の説明では、通信セルを単に「セル」という。１つの無線通信基地局によって、１つ以上のキャリア周波数の各々につき、１つ以上のセルが構成される。なお、上記構成は基本概念であり、無線通信基地局が他の無線通信基地局と協調して１つのセルを構成しても良い。また、端末は、無線通信基地局が構成する少なくとも１つのセルを利用して通信する。
【００２９】
以下、第１〜第５の実施形態の無線通信システムについて順に説明する。なお、第１〜第５の実施形態において、同一機能を有する構成には同一符号を付し、重複する説明は省略する。
【００３０】
（第１の実施形態）
図１〜図５を参照して、第１の実施形態の無線通信システムについて説明する。第１の実施形態の無線通信システムは、上記説明した端末、基地局及びＣＳＧリレーノードを備える。端末は、ダウンリンクで基地局からセル毎に送信された参照信号を受信して、定められた計算式に基づいて導出される測定結果を基地局に報告する機能を有する。基地局は、各端末に対して無線リソース（例えば、周波数領域、又は時間領域での周波数帯域）の割り当て及び管理を行う。基地局及びＣＳＧリレーノードは、端末のための無線アクセスネットワークのアクセスポイントの役割を有する。
【００３１】
図１は、第１の実施形態の無線通信システムにおける端末、基地局及びＣＳＧリレーノードの関係を示す図である。図１に示すように、基地局（DeNB）は、ＣＳＧリレーノード（CSG RN）にUn DLサブフレームを用いて個別信号を送信する。ＣＳＧリレーノードは、配下の端末に対して、Un DLサブフレームのタイミングで、ＭＢＳＦＮサブフレームを割り当てる。ＣＳＧリレーノードのセルへの接続を許されていない端末は、このＭＢＳＦＮサブフレームのタイミングで、基地局（DeNB）のセルの測定（Measurement）を行う。なお、端末は、ＣＳＧリレーノードのセルのＭＢＳＦＮサブフレームのタイミングで、ＣＳＧリレーノード以外のハンドオーバ先となり得る隣接セルの測定（Measurement）を行っても良い。このようにすることで、ＣＳＧリレーノードのセルへの接続が許されていない端末が、ＣＳＧリレーノードのセルのＭＢＳＦＮサブフレームを利用して、自セル、あるいは、隣接セルの測定を行うことにより、干渉の少ないサブフレームで測定できることから、自セルとの接続を維持しやすくなる、あるいは、隣接セルへのハンドオーバが容易に行えることから、端末と基地局との接続を維持しやすくなる。さらに、Un DLサブフレームのタイミング、すなわち、ＣＳＧリレーノードのUu DLサブフレームにおけるＭＢＳＦＮサブフレームのタイミングで、端末が基地局（DeNB）のセルの測定を行うため、ＡＢＳに関する情報を基地局（DeNB）とＣＳＧリレーノードの間で交換する手順を省くことができる。
【００３２】
図２は、ＣＳＧリレーノードが設定したＭＢＳＦＮサブフレームにおける、基地局（DeNB）のセルとＣＳＧリレーノードのセルのデータ送信状況を示す図である。なお、以下の説明では、端末が接続中の基地局（DeNB）のセルを「自セル（Serving Cell）」といい、端末が接続を許されていないＣＳＧリレーノードのセルを「隣接セル（Neighbour Cell）」という。
【００３３】
１つのサブフレームは、１４つのＯＦＤＭシンボルを含む。特に、ＭＢＳＦＮサブフレームを構成するＯＦＤＭシンボルは、ＰＤＣＣＨ（Physical Downlink Control CHannel）を含むＯＦＤＭシンボルと、データを送信しないＯＦＤＭシンボルに分けられる。ＣＳＧリレーノードが設定したＭＢＳＦＮサブフレームを構成する１４つのＯＦＤＭシンボルの内、時系列で最初のｍシンボル目まではＰＤＣＣＨ（Physical Downlink Control CHannel）が送信されるが、ｍ＋１シンボル目以降はデータが送信されない。なお、ｍは、１又は２の値である。ｍ値は、ＣＳＧリレーノードのセルの帯域幅及びＣＳＧリレーノードのセルのＭＢＳＦＮサブフレームで端末が受信したＰＣＦＩＣＨ（Physical Control Format Indicator CHannel）に基づいて、１か２かが端末によって判別される。
【００３４】
一方、自セル（端末が接続中の基地局（DeNB）のセル）では、上記説明したＣＳＧリレーノードのセルのＭＢＳＦＮサブフレームに一致した自セルのサブフレームにおいて、全てのＯＦＤＭシンボルにデータが割り当てられる。したがって、ＣＳＧリレーノードのセルのＭＢＳＦＮサブフレームのタイミングにおいて、ＯＦＤＭシンボルのｍシンボル目まではＲＳＳＩ（Received Signal Strength Indication）が高く、ｍ＋１シンボル目以降はＲＳＳＩが低くなる。
【００３５】
本実施形態では、ＣＳＧリレーノードのセルへの接続を許されていない端末が、ＣＳＧリレーノードが設定したＭＢＳＦＮサブフレームの時系列で最初のｍシンボル目までを除いたＯＦＤＭシンボルのタイミングで、自セル（基地局（DeNB）のセル）の測定（Measurement）を行う。当該タイミングは、ｍ＋１シンボル目以降のタイミングである。このとき、端末は、ＲＳＳＩの測定精度を担保しつつ、ＣＳＧリレーノードからの信号との干渉が少ない状態で測定を行えるため、ｍシンボル目までのタイミングで測定するときよりも良好な測定結果を得ることができる。したがって、端末は、自セル（基地局（DeNB）のセル）との接続を維持しやすくなる。
【００３６】
図３は、第１の実施形態の端末と当該端末が接続している基地局（DeNB）との間のメッセージの一例を示す図である。基地局（DeNB）は、接続設定情報としてＲＲＣ接続再設定（RRC Connection Reconfiguration）メッセージを端末に送る。このとき、基地局（DeNB）は、ＣＳＧリレーノードが隣接する場合、ＣＳＧリレーノードのセルへの接続が許されていない端末が、ＣＳＧリレーノードのセルのＭＢＳＦＮサブフレームのタイミングで自セルの測定を行うように設定する。すなわち、基地局（DeNB）は、当該ＭＢＳＦＮサブフレームのタイミングに一致したサブフレームを、自セル用の測定サブフレームパターンとして端末に設定する。なお、端末は、ＣＳＧリレーノードのセルのＭＢＳＦＮサブフレームのタイミングで、ＣＳＧリレーノード以外の隣接セルの測定を行っても良い。
【００３７】
次に、基地局（DeNB）は、ＣＳＧリレーノードのセルのＭＢＳＦＮサブフレームのタイミングで、自セルを端末に測定をさせると判断すると、ＯＦＤＭシンボル考慮フラグを含めたメッセージを端末に送る。端末は、ＯＦＤＭシンボル考慮フラグを含んだメッセージを受けると、隣接セルのＭＢＳＦＮサブフレームのｍ＋１シンボル目以降のＯＦＤＭシンボルで、自セルの測定を行う。このため、端末は、ＲＳＳＩの測定精度を保ちつつ、基地局（DeNB）との接続を維持しやすくなる。なお、端末は、隣接セルのＭＢＳＦＮサブフレームがいずれかを判断できない場合、測定する全てのサブフレームにおいて、ｍ＋１シンボル目以降のＯＦＤＭシンボルで自セルの測定を行う。ただし、自セルのＭＢＳＦＮサブフレームに関しては、従来どおり、端末は、ＣＲＳが送信されているＯＦＤＭシンボルで自セルの測定を行う。
【００３８】
上記説明したＯＦＤＭシンボル考慮フラグは、１ビットで下記選択肢を表しても良い。
・ｍ＋１シンボル目以降のＯＦＤＭシンボルで測定を行う。
・ＯＦＤＭシンボルを考慮せずに測定を行う。
【００３９】
この場合、端末は、ＣＳＧリレーノードのセルのＭＢＳＦＮサブフレームでＰＣＦＩＣＨを受信することにより、ＰＤＣＣＨが送信されているＯＦＤＭシンボルが１シンボル目までか２シンボル目までか、すなわち、ｍ値が１か２かを判別する。なお、端末は、ＰＣＦＩＣＨを受信せずに、３シンボル目以降のＯＦＤＭシンボルで測定を行ってもよい。これは、３シンボル目以降では、ＲＳＳＩの性質が同じになることに着目している。こうすることで、基地局（DeNB）が通知するＯＦＤＭシンボル考慮フラグがｍ値を含む必要がないため、通知するビット数を削減できる。さらに、端末はＣＳＧリレーノードのＰＣＦＩＣＨを受信する必要がないため、容易に自セルの測定を行うことができる。
【００４０】
また、上記説明したＯＦＤＭシンボル考慮フラグは、２ビットで下記選択肢を表しても良い。
・２シンボル目以降のＯＦＤＭシンボルで測定を行う。
・３シンボル目以降のＯＦＤＭシンボルで測定を行う。
・ＯＦＤＭシンボルを考慮せずに測定を行う。
【００４１】
こうすることで、ＣＳＧリレーノードのセルのＭＢＳＦＮサブフレームでＰＣＦＩＣＨを受信するまでもなく、端末は、何シンボル目のＯＦＤＭシンボルから測定すればよいかを認識できる。
【００４２】
また、上記説明したＯＦＤＭシンボル考慮フラグは、ビットマップを使用して、サブフレームごとに測定するＯＦＤＭシンボルを指示してもよい。例えば、“０”の場合は、1シンボル目のＯＦＤＭシンボルから測定し、“１”の場合は、３シンボル目のＯＦＤＭシンボルから測定する。
【００４３】
図３に示すように、端末は、基地局（DeNB）から受信したＲＲＣ接続再設定（RRC Connection Reconfiguration）メッセージに含まれる測定設定（Measurement Configuration）に基づいて、測定結果報告（Measurement Report）を送信するか否かを判定（イベント判定）する。端末は、測定結果が測定結果報告を送信する条件を満たしたと判定すると、測定結果報告を作成し、基地局（DeNB）に送信する。なお、ＲＲＣ接続再設定メッセージは、一例であり、ＲＲＣ接続再確立メッセージなどを使用しても良い。
【００４４】
［第１の実施形態の端末の構成］
図４は、第１の実施形態の無線通信システムを構成する端末のブロック図である。図４に示すように、第１の実施形態の端末は、受信部１０１と、制御部１０３と、送信部１０５とを備える。制御部１０３は、測定管理部１１１と、測定制御部１１３とを有する。また、測定管理部１１１は、ＯＦＤＭ考慮自セル測定部１２１と、隣接セル測定部１２３とを有する。
【００４５】
受信部１０１は、制御部１０３の測定管理部１１１が有するＯＦＤＭ考慮自セル測定部１２１からの指示に応じて、特定のサブフレームのＯＦＤＭシンボルにおいて、自セルのセル固有参照信号（Cell specific Reference Signal：ＣＲＳ）を受信し、又は受信信号強度（ＲＳＳＩ）を測定するための信号を受信する。なお、受信部１０１は、ＣＲＳをＯＦＤＭ考慮自セル測定部１２１から指示された特定のサブフレームにおいて受信し、ＲＳＳＩを測定するための信号をＯＦＤＭ考慮自セル測定部１２１から指示された特定のサブフレームのＯＦＤＭシンボルにおいて受信しても良い。これは、ＯＦＤＭシンボル間の特徴の違いがＲＳＳＩに影響するため、ＲＳＳＩに関してのみ測定するＯＦＤＭシンボルを制限すれば良いためである。また、受信部１０１は、サブフレームを限定せずにＣＲＳを受信し、ＲＳＳＩを測定するための信号をＯＦＤＭ考慮自セル測定部１２１から指示された特定のサブフレームのＯＦＤＭシンボルにおいて受信しても良い。受信部１０１は、ＯＦＤＭ考慮自セル測定部１２１から測定リソース制限に関する指示がない場合は、通常通りに受信する。
【００４６】
また、受信部１０１は、制御部１０３の測定管理部１１１が有する隣接セル測定部１２３からの指示に応じて、特定のサブフレームのＣＲＳを受信し、又はＲＳＳＩを測定するための信号を受信する。なお、受信部１０１は、特定の隣接セルのＣＲＳをサブフレームを限定せずに受信し、ＲＳＳＩを測定するための信号を隣接セル測定部１２３から指示された特定のサブフレームにおいて受信しても良い。なお、受信部１０１は、隣接セル測定部１２３から測定リソース制限に関する指示がないセルに関しては、通常通りにＣＲＳ又はＲＳＳＩを測定するための信号を受信する。
【００４７】
また、受信部１０１は、個別制御情報及び報知情報等を受信し、制御部１０３に出力する。
【００４８】
制御部１０３は、個別制御情報等に含まれる自セル用の測定サブフレームパターン及び／又はＯＦＤＭシンボル考慮フラグを測定制御部１１３に出力する。また、制御部１０３は、個別制御情報に含まれる測定設定（Measurement Configuration）、自セルの物理セル識別子（Physical Cell ID：PCI）及び自セルの周波数等を測定制御部１１３に出力する。
【００４９】
測定制御部１１３は、自セルのＰＣＩ、自セルの周波数及び自セルの測定に必要な設定等をＯＦＤＭ考慮自セル測定部１２１に出力する。また、測定制御部１１３は、自セル用の測定サブフレームパターン又はＯＦＤＭシンボル考慮フラグが入力される場合、自セルを測定するサブフレーム又は自セルを測定するＯＦＤＭシンボルを測定管理部１１１のＯＦＤＭ考慮自セル測定部１２１に出力する。
【００５０】
また、測定制御部１１３は、測定設定（Measurement Configuration）に含まれる隣接セルの測定に必要な設定と、隣接セルの測定サブフレームパターンと、隣接セルの測定サブフレームパターンを適用する周波数とを、測定管理部１１１の隣接セル測定部１２３に出力する。
【００５１】
また、測定制御部１１３は、測定管理部１１１から入力された情報から測定結果報告（Measurement Report）を作成するか否かを測定設定に基づいて判断する。測定制御部１１３は、測定結果報告を作成すると判断すると、測定結果報告の作成に必要な情報を出力するよう測定管理部１１１に指示する。測定制御部１１３は、測定管理部１１１から得られた情報から測定結果報告を作成し、送信部１０５へ出力する。
【００５２】
測定管理部１１１は、自セルのＲＳＲＰ（Reference Signal Received Power）とＲＳＲＱ（Reference Signal Received Quality）を管理する。測定管理部１１１は、ＯＦＤＭ考慮自セル測定部１２１から入力されたＲＳＲＰを自セルのＲＳＲＰとして管理し、かつ、ＯＦＤＭ考慮自セル測定部１２１から入力されたＲＳＳＩからＲＳＲＱを算出し、当該ＲＳＲＱを自セルのＲＳＲＱとして管理する。
【００５３】
また、測定管理部１１１は、隣接セルのＲＳＲＰ及びＲＳＲＱを各周波数のＰＣＩ毎に管理する。測定管理部１１１は、隣接セル測定部１２３から入力されたＲＳＲＰ、ＲＳＳＩ、ＰＣＩ及び周波数から当該周波数のＰＣＩを持つセルのＲＳＲＱを算出し、前記隣接セル測定部１２３から入力されたＲＳＲＰ及び算出したＲＳＲＱを管理する。
【００５４】
測定管理部１１１は、ＯＦＤＭ考慮自セル測定部１２１又は隣接セル測定部１２３からの入力毎に、入力された値とＰＣＩと周波数を測定制御部１１３に出力する。測定管理部１１１は、測定制御部１１３から測定結果報告の作成に必要な値（例えば、特定のセルのＲＳＲＰ及びＲＳＲＱ、又は、特定の周波数において最もＲＳＲＰが高いセル）を問い合わせられると、当該測定管理部１１１で管理している値を測定制御部１１３に出力する。
【００５５】
ＯＦＤＭ考慮自セル測定部１２１は、測定制御部１１３から入力された周波数のＰＣＩを持つセルのＲＳＲＰ及びＲＳＳＩを測定するため、ＣＲＳ又はＲＳＳＩを測定するための信号の受信を受信部１０１に指示する。さらに、ＯＦＤＭ考慮自セル測定部１２１は、測定制御部１１３から、自セルを測定するサブフレームに関する情報又は各サブフレームの測定するＯＦＤＭシンボルに関する情報が入力されると、その情報を受信部１０１に出力する。なお、測定制御部１１３は、サブフレーム間で測定するＯＦＤＭシンボルが異なる場合は、サブフレームごとに測定するＯＦＤＭシンボルに関する情報をＯＦＤＭ考慮自セル測定部１２１に送ってもよい。また、測定制御部１１３は、全てのサブフレームで測定するＯＦＤＭシンボルが同じ場合は、一つのＯＦＤＭシンボルに関する情報をＯＦＤＭ考慮自セル測定部１２１に送ってもよい。また、測定制御部１１３は、ＯＦＤＭシンボルを考慮するサブフレームをビットマップでＯＦＤＭ考慮自セル測定部１２１に送っても良い。同様に、ＯＦＤＭ考慮自セル測定部１２１は、サブフレームごとに測定するＯＦＤＭシンボルに関する情報を受信部１０１に送っても良い。また、ＯＦＤＭ考慮自セル測定部１２１は、全てのサブフレームで測定するＯＦＤＭシンボルが同じ場合は、一つのＯＦＤＭシンボルに関する情報を受信部に送っても良い。また、ＯＦＤＭ考慮自セル測定部１２１は、ＯＦＤＭシンボルを考慮するサブフレームをビットマップで受信部に送っても良い。
【００５６】
また、ＯＦＤＭ考慮自セル測定部１２１は、受信部１０１が受信したＣＲＳからＲＳＲＰを算出し、又、ＲＳＳＩを測定するための信号から得られた値からＲＳＳＩを算出する。ＯＦＤＭ考慮自セル測定部１２１は、ＲＳＲＰ又はＲＳＳＩを測定管理部１１１に出力する。
【００５７】
隣接セル測定部１２３は、測定制御部１１３から入力された測定サブフレームパターンの対象となる周波数において、測定設定に測定サブフレームセルリスト（MeasSubframeCelllist）が含まれる場合には、測定設定に含まれる測定サブフレームパターンにおける、当該測定サブフレームセルリストに含まれるセルのＣＲＳ又はＲＳＳＩを測定するための信号の受信を受信部１０１に指示する。なお、隣接セル測定部１２３は、当該測定サブフレームセルリストに含まれないセルに関しては、サブフレームの制限をかけないで、セルのＣＲＳ又はＲＳＳＩを測定するための信号の受信を受信部１０１に指示する。但し、測定設定に測定サブフレームセルリストが含まれない場合、隣接セル測定部１２３は、測定サブフレームパターンの対象となる周波数の全てのセルで、測定サブフレームパターンを用いて、ＲＳＲＰ又はＲＳＳＩを測定するため、当該測定サブフレームパターンで指示されたサブフレーム及び対象となるセルに関する情報を受信部１０１に出力する。隣接セル測定部１２３は、受信部１０１から入力されたＣＲＳからＲＳＲＰを算出し、又、ＲＳＳＩを測定するための信号の値からＲＳＳＩを算出し、ＲＳＲＰ又はＲＳＳＩを周波数及びＰＣＩと一緒に測定管理部１１１に出力する。
【００５８】
送信部１０５は、個別制御情報に対する応答メッセージ、ＲＲＣ接続再設定完了メッセージ又は測定結果報告（Measurement Report）等を送信する。
【００５９】
［第１の実施形態の基地局の構成］
図５は、第１の実施形態の無線通信システムを構成する基地局（DeNB）のブロック図である。図５に示すように、第１の実施形態の基地局（DeNB）は、受信部１５１と、制御部１５３と、送信部１５５とを備える。制御部１５３は、個別制御情報作成部１６１と、ＭＢＳＦＮサブフレーム管理部１６３とを有する。
【００６０】
受信部１５１は、端末から送信された個別制御情報に対する応答メッセージ、ＲＲＣ接続再設定完了メッセージ又は測定結果報告を受信して制御部１５３へ出力する。
【００６１】
制御部１５３は、端末にＣＳＧリレーノードのＭＢＳＦＮサブフレームで自セルの測定を行わせると判断すると、近傍に存在するＣＳＧリレーノードのセルのＭＢＳＦＮサブフレームの情報を出力するようＭＢＳＦＮサブフレーム管理部１６３に指示する。また、制御部１５３は、端末がＣＳＧリレーノードのセルのＭＢＳＦＮサブフレームで自セルの測定を行わせると判断すると、ＯＦＤＭシンボル考慮フラグを含む個別制御情報を作成するよう個別制御情報作成部１６１に指示する。さらに、制御部１５３は、近傍に存在するノードのセルのＭＢＳＦＮサブフレームの情報に基づいて測定サブフレームパターンを作成するよう個別制御情報作成部１６１に指示する。さらに、制御部１５３は、ＭＢＳＦＮサブフレームの設定情報を含む報知情報を作成し、送信部１５５へ出力する。
【００６２】
ＭＢＳＦＮサブフレーム管理部１６３は、基地局（DeNB）の近傍に存在するＣＳＧリレーノードのセルのＭＢＳＦＮサブフレームを管理する。ＭＢＳＦＮサブフレーム管理部１６３は、制御部１５３からＣＳＧリレーノードのセルのＭＢＳＦＮサブフレームの情報を出力するよう指示されると、ＭＢＳＦＮサブフレームの情報を出力する。
【００６３】
個別制御情報作成部１６１は、制御部１５３から得られた情報及び保持しているＡＢＳ情報、モビリティ制御情報等に基づいて、自セル用の測定サブフレームパターン及び測定設定（Measurement Configuration）等を含む個別制御情報を作成する。特に、個別制御情報作成部１６１は、制御部１５３からＯＦＤＭシンボル考慮フラグを含む個別制御情報を作成するよう制御部１５３から指示されると、測定サブフレームパターン及びＯＦＤＭシンボル考慮フラグを含む個別制御情報を作成する。個別制御情報作成部１６１は、作成した個別制御情報を送信部１５５へ出力する。なお、測定設定には、例えば、隣接セル用の測定サブフレームパターン及び測定サブフレームセルリスト等が含まれる。
【００６４】
送信部１５５は、個別制御情報作成部１６１から出力された個別制御情報を端末に送信する。また、送信部１５５は、基地局（DeNB）のセルのＣＲＳ（セル固有参照信号）及び報知情報を送信する。
【００６５】
以上説明したように、本実施形態によれば、ＡＢＳの運用は行われていない。本実施形態の端末は、基地局（DeNB）からの指示に応じて、ＣＳＧリレーノードのセルのＭＢＳＦＮサブフレームにおけるＯＦＤＭシンボルと基地局（DeNB）のセルのサブフレームにおける同タイミングのＯＦＤＭシンボルの間の干渉を考慮して、基地局（DeNB）のセルを測定する。ＣＳＧリレーノードのセルのＭＢＳＦＮサブフレームにおけるｍシンボル目までは、ＰＤＣＣＨが送信されるＯＦＤＭシンボルである。端末は、ｍ＋１シンボル目以降のタイミングで、基地局（DeNB）のセルの測定を行う。したがって、端末は、ＣＳＧリレーノードからの信号との干渉が少ない状態で測定を行えるため、ｍシンボル目までのタイミングで測定するときよりも良好な測定結果を得ることができる。したがって、基地局（DeNB）のセルと接続中の端末は、当該セルとの接続を維持しやすい。
【００６６】
なお、本実施形態においては、自セルを基地局（DeNB)のセルとして記載したが、自セルは基地局（DeNB）のセルに限定されない。すなわち、自セルは、基地局（eNB）又はリレーノード（RN）など、端末が接続可能な全てのセルのうち、いずれかのセルである。
【００６７】
（第２の実施形態）
図６〜図１０を参照して、第２の実施形態の無線通信システムについて説明する。第２の実施形態の無線通信システムは、隣接セル（ＣＳＧリレーノードのセル）のＭＢＳＦＮサブフレームの状況に応じて、ＯＦＤＭシンボルを考慮するか否かの判断を行う点が第１の実施形態の無線通信システムと異なる。この点以外は第１の実施形態と同様であり、図８〜図１０において、第１の実施形態の該当する構成要素又はステップには同じ符号が付されている。
【００６８】
測定設定（Measurement Configuration）には、測定対象（MeasObject）、報告設定(reportConfig)、測定識別子(measId)、測定量設定（quantityConfig）、測定用ギャップ設定（measGapConfig）、測定開始基準（s-measure）、HRPD用前登録情報（preRegistrationInfoHRPD）及び速度状態パラメータ（speedStatePars）等が含まれる。測定対象(MeasObject)には、周波数（carrierFreq）及び隣接セル設定（NeighCellConfig）等が含まれる。
【００６９】
図６は、第２の実施形態の端末と当該端末が接続している基地局（DeNB）との間のメッセージの一例を示す図である。基地局（DeNB）は、端末に個別制御信号を送信する。個別制御信号は、自セル用の測定サブフレームパターン（MeasSubframePattern）と、隣接セル設定（NeighCellConfig）とを含む。端末は、隣接セル設定（NeighCellConfig）の値が後述する“００”又は“１０”である場合、自セル（基地局（DeNB）のセル）をｍ＋１シンボル目以降のＯＦＤＭシンボルで測定する。一方、端末は、隣接セル設定の値が“００”又は“１０”ではない場合、すなわち、隣接セル設定の値が後述する“０１”である場合、自セルを１シンボル目のＯＦＤＭシンボルから測定する。但し、自セルを測定するサブフレームが当該自セルのＭＢＳＦＮサブフレームに一致する場合、端末は、自セルをｍシンボル目までのＯＦＤＭシンボルで測定する。
【００７０】
図７は、自セルのＭＢＳＦＮサブフレームと隣接セルのＭＢＳＦＮサブフレームの関係を表すベン図である。図７（ａ）のベン図は、隣接セル設定（NeighCellConfig）の値が“００”の場合の自セルのＭＢＳＦＮサブフレームと隣接セルのＭＢＳＦＮサブフレームの関係を表す。また、図７（ｂ）のベン図は、隣接セル設定（NeighCellConfig）の値が“１０”の場合の自セルのＭＢＳＦＮサブフレームと隣接セルのＭＢＳＦＮサブフレームの関係を表す。
【００７１】
隣接セル設定（NeighCellConfig）の値が“００”の場合、全ての隣接セルのＭＢＳＦＮサブフレームが、その周波数の自セルのＭＢＳＦＮサブフレームと同じとは限らない。もし、その周波数の自セルにＭＢＳＦＮサブフレームが設定されていない場合、ＰＣｅｌｌ（プライマリセル）のＭＢＳＦＮサブフレームと比較する。隣接セル設定の値が“１０”の場合、全ての隣接セルのＭＢＳＦＮサブフレームが、その周波数の自セルのＭＢＳＦＮサブフレームと同一又はサブセットとなる。もし、その周波数の自セルにＭＢＳＦＮサブフレームが設定されていない場合、ＰＣｅｌｌのＭＢＳＦＮサブフレームと比較する。隣接セル設定の値が“０１”の場合、全ての隣接セルはＭＢＳＦＮサブフレームを持たない。
【００７２】
端末は、測定結果が、測定設定（Measurement Configuration）の示す基準を満たすか否かを判定（イベント判定）する。端末は、測定結果が当該基準を満たす場合、ＯＦＤＭシンボルを考慮して測定した結果を含む測定結果報告（Measurement Report）を作成し、基地局（DeNB）に送信する。
【００７３】
［第２の実施形態の端末の構成］
図８は、第２の実施形態の無線通信システムを構成する端末のブロック図である。図８では、図４に示した第１の実施形態の端末と共通する構成要素には同じ参照符号が付されている。図８に示すように、第２の実施形態の端末は、受信部１０１と、制御部２０３と、送信部１０５とを備える。制御部２０３は、測定管理部２１１と、測定制御部２１３とを有する。測定管理部２１１は、ＯＦＤＭ考慮自セル測定部２２１と、隣接セル測定部１２３とを有する。測定制御部２１３は、ＯＦＤＭ考慮判定部２３１を有する。制御部１０３の測定制御部２１３及びＯＦＤＭ考慮自セル測定部２２１を除く構成要素は第１の実施形態と同じであるため、説明を簡略化又は省略する。
【００７４】
制御部２０３は、自セル用の測定サブフレームパターン又は隣接セル設定が個別制御情報等に含まれる場合、自セル用の測定サブフレームパターン又は隣接セル設定を測定制御部２１３に出力する。また、制御部２０３は、自セルからの報知情報にＭＢＳＦＮサブフレーム設定が含まれる場合、当該ＭＢＳＦＮサブフレーム設定を測定制御部２１３に出力する。さらに、制御部２０３は、個別制御情報に含まれる測定設定（Measurement Configuration）、自セルの物理セル識別子（Physical Cell ID: PCI）及び自セルの周波数等を測定制御部２１３に出力する。
【００７５】
測定制御部２１３は、自セルのＰＣＩ、自セルの周波数及び自セルの測定に必要な設定等をＯＦＤＭ考慮自セル測定部２２１に出力する。また、測定制御部２１３は、自セル用の測定サブフレームパターン、隣接セル設定又は自セルのＭＢＳＦＮサブフレーム設定が入力される場合、それらの情報をＯＦＤＭ考慮判定部２３１へ出力する。
【００７６】
また、測定制御部２１３は、ＯＦＤＭ考慮判定部２３１から入力された情報を基に、自セルを測定する各サブフレームのＯＦＤＭシンボルを示す情報を測定管理部２１１のＯＦＤＭ考慮自セル測定部２２１に出力する。なお、全てのサブフレームで測定するＯＦＤＭシンボルが同じ場合、測定制御部２１３は、当該情報をサブフレーム毎には通知しなくても良い。
【００７７】
また、測定制御部２１３は、測定サブフレームパターンを適用する周波数と、測定設定（Measurement Configuration）に含まれる隣接セルの測定に必要な設定を、測定管理部２１１の隣接セル測定部１２３に出力する。
【００７８】
また、測定制御部２１３は、測定管理部２１１から入力された情報から測定結果報告（Measurement Report）を作成するか否かを測定設定に基づいて判断する。測定制御部２１３は、測定結果報告を作成すると判断すると、測定結果報告の作成に必要な情報を出力するよう測定管理部２１１に指示する。測定制御部２１３は、測定管理部２１１から得られた情報から測定結果報告を作成し、送信部１０５へ出力する。
【００７９】
ＯＦＤＭ考慮判定部２３１は、測定制御部２１３から隣接セル設定が入力されると、ＯＦＤＭシンボルを考慮するかどうかを判定する。ＯＦＤＭ考慮判定部２３１は、隣接セル設定の値が００又は１０の場合、入力された情報に基づいて、自セルを測定するサブフレームのうち、自セルのＭＢＳＦＮサブフレームと一致するサブフレームでは、ｍシンボル目までのＯＦＤＭシンボルで測定するよう判定し、自セルを測定するサブフレームのうち、自セルのＭＢＳＦＮサブフレームと一致しないサブフレームでは、ｍ＋１シンボル目以降のＯＦＤＭシンボルで測定するように判定する。ＯＦＤＭ考慮判定部２３１は、判定した情報を測定制御部２１３に出力する。
【００８０】
ＯＦＤＭ考慮判定部２３１は、測定制御部２１３から入力された隣接セル設定の値が００でも１０でもない場合、入力された情報に基づいて、自セルを測定するサブフレームのうち、自セルのＭＢＳＦＮサブフレームと一致するサブフレームでは、ｍシンボル目までのＯＦＤＭシンボルで測定するよう判定し、自セルを測定するサブフレームのうち、自セルのＭＢＳＦＮサブフレームと一致しないサブフレームでは、１シンボル目以降のＯＦＤＭシンボルで測定するように判定する。ＯＦＤＭ考慮判定部２３１は、判定した情報を測定制御部２１３に出力する。
【００８１】
ＯＦＤＭ考慮自セル測定部２２１は、測定制御部２１３から入力された周波数のＰＣＩを持つセルのＲＳＲＰ及びＲＳＳＩを測定するため、ＣＲＳ又はＲＳＳＩを測定するための信号の受信を受信部１０１に指示する。さらに、ＯＦＤＭ考慮自セル測定部２２１は、測定制御部２１３から、自セルを測定するサブフレームに関する情報又はサブフレーム毎の測定するＯＦＤＭシンボルに関する情報が入力されると、その情報を受信部１０１に出力する。なお、測定制御部２１３から自セルを測定するサブフレームに関する情報又はサブフレーム間で共通の測定するＯＦＤＭシンボルに関する情報が入力される場合、ＯＦＤＭ考慮自セル測定部２２１は、自セルを測定するサブフレームに関する情報又は共通の測定するＯＦＤＭシンボルに関する情報を受信部１０１に出力する。
【００８２】
また、ＯＦＤＭ考慮自セル測定部２２１は、受信部１０１が受信したＣＲＳからＲＳＲＰを算出し、又、ＲＳＳＩを測定するための信号から得られた値からＲＳＳＩを算出し、測定管理部２１１に出力する。
【００８３】
［第２の実施形態の基地局の構成］
図９は、第２の実施形態の無線通信システムを構成する基地局（DeNB）のブロック図である。図９では、図５に示した第１の実施形態の基地局と共通する構成要素には同じ参照符号が付されている。図９に示すように、第２の実施形態の基地局（DeNB）は、受信部１５１と、制御部２５３と、送信部１５５とを備える。制御部２５３は、個別制御情報作成部２６１と、ＭＢＳＦＮサブフレーム管理部１６３とを有する。制御部２５３の個別制御情報作成部２６１を除く構成要素は第１の実施形態と同じであるため、説明を簡略化又は省略する。
【００８４】
制御部２５３は、端末にＣＳＧリレーノードのＭＢＳＦＮサブフレームで自セルの測定を行わせると判断すると、近傍に存在するＣＳＧリレーノードのセルのＭＢＳＦＮサブフレームの情報を出力するようＭＢＳＦＮサブフレーム管理部１６３に指示する。また、制御部２５３は、端末がＣＳＧリレーノードのセルのＭＢＳＦＮサブフレームで自セルの測定を行わせると判断すると、近傍に存在するノードのＭＢＳＦＮサブフレームの情報を個別制御情報作成部２６１に出力する。さらに、制御部２５３は、ＭＢＳＦＮサブフレームの設定情報を含む報知情報を作成し、送信部１５５へ出力する。
【００８５】
個別制御情報作成部２６１は、制御部２５３から得られた情報及び保持しているＡＢＳ情報、モビリティ制御情報等に基づいて、自セル用の測定サブフレームパターン及び測定設定（Measurement Configuration）等を含む個別制御情報を作成する。個別制御情報作成部２６１は、作成した個別制御情報を送信部１５５へ出力する。
【００８６】
次に、第２の実施形態の端末の動作について説明する。図１０は、第２の実施形態の端末の動作を示すフローチャートである。図１０に示すように、端末は、個別制御信号に含まれる、当該端末が自セルを測定する際のサブフレームを指示する自セル用の測定サブフレームパターン（MeasSubframePatternPCell）を受信する（ステップＳ２０１）。ステップＳ２０１でＹｅｓの場合、ステップＳ２０２へ移行する。一方、ステップＳ２０１でＮｏの場合、ステップＳ２０３へ移行する。ステップＳ２０３において、端末は、従来通りの測定（measurement）を行う。
【００８７】
ステップＳ２０２において、端末は、報知情報又は測定設定において、隣接セル設定（NeighCellConfig）を受信する。次に、端末は、隣接セル設定（NeighCellConfig）の値が“００”又は“１０”であるかを判定する（ステップＳ２０４）。ステップＳ２０４でＹｅｓの場合はステップＳ２０５へ移行し、Ｎｏの場合はステップＳ２０６へ移行する。
【００８８】
ステップＳ２０５において、端末は、自セル用の測定サブフレームパターンの示すサブフレーム（自セル測定用サブフレーム）が自セルのＭＢＳＦＮサブフレームに一致するか否かを判定する。端末は、自セルのＭＢＳＦＮサブフレームパターンを報知情報から取得する。端末は、自セルのＭＢＳＦＮサブフレームと一致する自セル測定用サブフレームでは、自セルをｍシンボル目までのＯＦＤＭシンボルで測定する。一方、端末は、自セルのＭＢＳＦＮサブフレームと一致しない自セル測定用サブフレームにおいて、自セルをｍ＋１シンボル目以降のＯＦＤＭシンボルで測定する。
【００８９】
一方、ステップＳ２０６において、端末は、自セル用の測定サブフレームパターンの示すサブフレーム（自セル測定用サブフレーム）が自セルのＭＢＳＦＮサブフレームに一致するか否かを判定する。端末は、自セル用のＭＢＳＦＮサブフレームパターンを報知情報から取得する。端末は、自セルのＭＢＳＦＮサブフレームと一致する自セル測定用サブフレームでは、自セルをｍシンボル目までのＯＦＤＭシンボルで測定する。一方、端末は、自セルのＭＢＳＦＮサブフレームと一致しない自セル測定用サブフレームにおいて、自セルを１シンボル目以降のＯＦＤＭシンボルで測定する。
【００９０】
ステップＳ２０５又はＳ２０６の後はステップＳ２０７に移行する。ステップＳ２０７において、端末は、測定結果が、測定結果報告を送る基準を満たすか否かを判定する。端末は、測定結果が当該基準を満たすと、測定結果報告を作成する。端末は、基地局へ測定結果報告を送信する。
【００９１】
以上説明したように、本実施形態によれば、基地局（DeNB）が端末にＭＢＳＦＮサブフレームのｍ＋１シンボル目以降のＯＦＤＭシンボルから測定するように通知するＯＦＤＭシンボル考慮フラグを送信しなくても、端末は、隣接セルのＭＢＳＦＮサブフレームが存在し、隣接セル設定（NeighCellConfig）の値が“００”又は“１０”であって、自セルのＭＢＳＦＮサブフレームと一致しない自セル測定用サブフレームに対しては、ｍ＋１シンボル目以降のＯＦＤＭシンボルで自セルを測定する。したがって、基地局は、第１の実施形態で説明したＯＦＤＭシンボル考慮フラグを端末に送信する必要がない。また、端末による自セルの測定精度は、ＲＳＳＩの測定精度が高くなるため、ＯＦＤＭシンボルを考慮しない場合と比較して向上できる。
【００９２】
（第３の実施形態）
図１１〜図１２を参照して、第３の実施形態の無線通信システムについて説明する。第３の実施形態の無線通信システムでは、自セル（基地局（DeNB）のセル）のＭＢＳＦＮサブフレームと隣接セル（ＣＳＧリレーノードのセル）のＭＢＳＦＮサブフレームの状況に応じて、ＯＦＤＭシンボルを考慮するか否かの判断を行う点が第２の実施形態の無線通信システムと異なる。この点以外は、第２の実施形態と同様であり、図１１〜図１２において、第１の実施形態及び第２の実施形態の該当する構成要素又はステップには同じ符号が付されている。なお、本実施形態の基地局は、第２の実施形態の基地局と同様である。
【００９３】
［第３の実施形態の端末の構成］
図１１は、第３の実施形態の無線通信システムを構成する端末のブロック図である。図１１では、図８に示した第２の実施形態の端末と共通する構成要素には同じ参照符号が付されている。図１１に示すように、第３の実施形態の端末は、測定制御部３１３のＯＦＤＭ考慮判定部３３１による隣接セル設定（NeighCellConfig）の値に応じた動作が異なる点以外は、第２の実施形態の端末と同様である。
【００９４】
第３の実施形態の端末の動作について説明する。図１２は、第３の実施形態の端末の動作を示すフローチャートである。図１２に示すように、当該フローチャートでは、図１０に示した第２の実施形態のフローチャートのステップＳ２０４の代わりに、ステップＳ３０４が行われる。このステップ以外のステップは第２の実施形態と同じであるため、説明を簡略化又は省略する。
【００９５】
ステップＳ３０４において、端末は、隣接セル設定（NeighCellConfig）の値が“００”であるかを判定する。ステップＳ３０４でＹｅｓの場合はステップＳ２０５へ移行し、Ｎｏの場合はステップＳ２０６へ移行する。隣接セル設定の値が“１０”の場合、図７（ｂ）に示したように、隣接セルのＭＢＳＦＮサブフレームが自セルのＭＢＳＦＮサブフレームの全部又は一部となるため、自セル用の測定サブフレームパターンが自セルのＭＢＳＦＮサブフレームと一致しない場合、隣接セルのＭＢＳＦＮサブフレームとも一致しない。また、隣接セル設定の値が“０１”の場合、全ての隣接セルはＭＢＳＦＮサブフレームを持たない。
【００９６】
したがって、隣接セル設定の値が“００”であって、自セルのＭＢＳＦＮサブフレームと一致しない自セル測定用サブフレームは、隣接セルのＭＢＳＦＮサブフレームと一致する可能性があるため、端末はｍ＋１シンボル目以降のＯＦＤＭシンボルで自セルを測定する。この場合以外は隣接セルにＭＢＳＦＮサブフレームが存在しないか、自セルの測定を行うサブフレームが隣接セルのＭＢＳＦＮサブフレームに一致しないため、１シンボル目以降のＯＦＤＭシンボルで自セルを測定する。ただし、自セルのＭＢＳＦＮサブフレームにおいて、端末は、ｍシンボル目までのＯＦＤＭシンボルで測定する。
【００９７】
このように、端末は、隣接セルにＭＢＳＦＮサブフレームがない場合をより正確に把握することができる。その結果、１シンボル目以降のＯＦＤＭシンボルで自セルを測定できる機会が多くなり、平均化するサンプル数が増えるため、測定精度を高めることができる。これは、一般的に、測定するＯＦＤＭシンボルの数が多くなるに従い、平均化効果が高まるためである。
【００９８】
（第４の実施形態）
図１３〜図１４を参照して、第４の実施形態の無線通信システムについて説明する。第４の実施形態の無線通信システムでは、サブフレーム間でも似た品質のＯＦＤＭシンボルを測定することを目的とし、隣接セル（ＣＳＧリレーノードのセル）のＭＢＳＦＮサブフレームの状況に応じて、ＯＦＤＭシンボルを考慮するか否かの判断を行う点が第２の実施形態と異なる。この点以外は、第２の実施形態と同様であり、図１３〜図１４において、第１の実施形態及び第２の実施形態の該当する構成要素又はステップには同じ符号が付されている。なお、本実施形態の基地局は、第２の実施形態の基地局と同様である。
【００９９】
［第４の実施形態の端末の構成］
図１３は、第４の実施形態の無線通信システムを構成する端末のブロック図である。図１３では、図８に示した第２の実施形態の端末と共通する構成要素には同じ参照符号が付されている。図１３に示すように、第４の実施形態の端末は、測定制御部４１３のＯＦＤＭ考慮判定部４３１が自セル用の測定用サブフレームパターンの示すサブフレーム（自セル測定用サブフレーム）が自セルのＭＢＳＦＮサブフレームの全てと被るか否かを判断する点以外は、第２の実施形態の端末と同様である。
【０１００】
第４の実施形態の端末の動作について説明する。図１４は、第４の実施形態の端末の動作を示すフローチャートである。図１４に示すように、当該フローチャートでは、図１０に示した第２の実施形態のフローチャートのステップＳ２０４〜Ｓ２０６の代わりに、ステップＳ４０４〜Ｓ４０８が行われる。
【０１０１】
ステップＳ４０４において、端末は、自セル用の測定サブフレームパターンの示すサブフレーム（自セル測定用サブフレーム）が自セルのＭＢＳＦＮサブフレームと全て被るか否かを判定する。ステップＳ４０４でＹｅｓの場合はステップＳ４０５に移行し、Ｎｏの場合はステップＳ４０６へ移行する。
【０１０２】
ステップＳ４０５において、端末は、ｍシンボル目までのＯＦＤＭシンボルで自セルを測定する。一方、ステップＳ４０６において、端末は、隣接セル設定（NeighCellConfig）の値が“００”又は“１０”であるかを判定する。ステップＳ４０６でＹｅｓの場合はステップＳ４０７に移行し、Ｎｏの場合はステップＳ４０８へ移行する。
【０１０３】
ステップＳ４０７において、端末は、自セル測定用サブフレームの内、自セルのＭＢＳＦＮサブフレームと被らないサブフレームで、ｍ＋１シンボル目以降のＯＦＤＭシンボルで自セルを測定する。一方、ステップＳ４０８において、端末は、自セル測定用サブフレームの内、自セルのＭＢＳＦＮサブフレームと被らないサブフレームで、１シンボル目のＯＦＤＭシンボルから自セルを測定する。ステップＳ４０５、Ｓ４０７又はＳ４０８の後はステップＳ２０７へ移行する。
【０１０４】
以上説明したように、本実施形態の端末は、自セル測定用サブフレームが自セルのＭＢＳＦＮサブフレームと一部だけ被る又は全く被らない場合に、自セルのＭＢＳＦＮサブフレーム以外のサブフレームで自セルの測定を行う。このため、似た品質のＯＦＤＭシンボルのみで自セルを測定することができるため、測定精度を高めることができる。
【０１０５】
（第５の実施形態）
図１５〜図１６を参照して、第５の実施形態の無線通信システムについて説明する。第５の実施形態の無線通信システムでは、サブフレーム間でも似た品質のＯＦＤＭシンボルを測定することを目的にし、自セル（基地局（DeNB）のセル）のＭＢＳＦＮサブフレームと隣接セル（ＣＳＧリレーノードのセル）のＭＢＳＦＮサブフレームの状況に応じて、ＯＦＤＭシンボルを考慮するか否かの判断を行う点が第４の実施形態と異なる。この点以外は、第４の実施形態と同様であり、図１５〜図１６において、第１の実施形態及び第４の実施形態の該当する構成要素又はステップには同じ符号が付されている。なお、本実施形態の基地局は、第２の実施形態の基地局と同様である。
【０１０６】
［第５の実施形態の端末の構成］
図１５は、第５の実施形態の無線通信システムを構成する端末のブロック図である。図１５では、図１３に示した第４の実施形態の端末と共通する構成要素には同じ参照符号が付されている。図１５に示すように、第５の実施形態の端末は、測定制御部５１３のＯＦＤＭ考慮判定部５３１による隣接セル設定（NeighCellConfig）の値に応じた動作が異なる点以外は、第４の実施形態の端末と同様である。
【０１０７】
第５の実施形態の端末の動作について説明する。図１６は、第５の実施形態の端末の動作を示すフローチャートである。図１６に示すように、当該フローチャートでは、図１６に示した第４の実施形態のフローチャートのステップＳ４０６〜Ｓ４０８の代わりに、ステップＳ５０６〜Ｓ５０８が行われる。
【０１０８】
ステップＳ５０６において、端末は、隣接セル設定（NeighCellConfig）の値が“００”であるかを判定する。ステップＳ５０６でＹｅｓの場合はステップＳ５０７に移行し、Ｎｏの場合はステップＳ５０８へ移行する。
【０１０９】
ステップＳ５０７において、端末は、自セル測定用サブフレームの内、自セルのＭＢＳＦＮサブフレームと被らないサブフレームで、ｍ＋１シンボル目以降のＯＦＤＭシンボルで自セルを測定する。一方、ステップＳ５０８において、端末は、自セル測定用サブフレームの内、自セルのＭＢＳＦＮサブフレームと被らないサブフレームで、１シンボル目以降のＯＦＤＭシンボルで自セルを測定する。
【０１１０】
以上説明したように、自セル測定用サブフレームが自セルのＭＢＳＦＮサブフレームと一部だけ被る又は全く被らない場合に、自セルのＭＢＳＦＮサブフレーム以外のサブフレームで自セルの測定を行う。このため、似た品質のＯＦＤＭシンボルのみで自セルを測定することができるため、測定精度を高めることができる。
【０１１１】
また、隣接セル設定の値が“１０”の場合、図７（ｂ）に示したように、隣接セルのＭＢＳＦＮサブフレームが自セルのＭＢＳＦＮサブフレームの全部又は一部となるため、自セル用の測定サブフレームパターンが自セルのＭＢＳＦＮサブフレームと一致しない場合、隣接セルのＭＢＳＦＮサブフレームとも一致しない。また、隣接セル設定の値が“０１”の場合、全ての隣接セルはＭＢＳＦＮサブフレームを持たない。したがって、隣接セル設定の値が“００”であって、自セルのＭＢＳＦＮサブフレームと一致しない自セル測定用サブフレームは、隣接セルのＭＢＳＦＮサブフレームと一致する可能性があるため、端末はｍ＋１シンボル目以降のＯＦＤＭシンボルで自セルを測定する。この場合以外は隣接セルにＭＢＳＦＮサブフレームが存在しないか、自セル測定用サブフレームが隣接セルのＭＢＳＦＮサブフレームに一致しないため、１シンボル目以降のＯＦＤＭシンボルで自セルを測定する。
【０１１２】
このように、端末は、隣接セルにＭＢＳＦＮサブフレームがない場合をより正確に把握することができる。その結果、１シンボル目以降のＯＦＤＭシンボルで自セルを測定できる機会が多くなり、測定精度を高めることができる。
【０１１３】
なお、上記各実施形態では、端末が接続中の基地局としてＣＳＧリレーノードを管理している基地局（DeNB）を例に説明したが、ＣＳＧリレーノードと通信する他の形態の基地局でも良い。
【０１１４】
なお、上記各実施形態では、端末が一つの周波数のみを使用する場合を説明したが、複数の周波数を使用する場合にも適用することができる。端末は、複数の周波数を使用する場合、周波数毎に隣接セル設定（NeighCellConfig）を取得し、周波数毎に本発明を適用する。
【０１１５】
また、上記各実施形態では、端末が接続する基地局（DeNB）と、ＭＢＳＦＮサブフレームを運用するＣＳＧリレーノード（CSG RN）とを備えた構成の無線通信システムを例に説明した。当該構成の無線通信システムに限らず、ＭＢＳＦＮサブフレームをＡＢＳとして運用する少なくとも１つの無線通信基地局と、そのＭＢＳＦＮサブフレームに関する情報を取得できる少なくとも１つの無線通信基地局との組み合わせであっても良い。例えば、端末が優先的に接続するピコ基地局と、ＭＢＳＦＮサブフレームを運用するマクロ基地局との組み合わせであっても良い。この場合、端末は、マクロ基地局が設定したＭＢＳＦＮサブフレームのｍ＋１シンボル目以降のＯＦＤＭシンボルのタイミングで、ピコ基地局のセルの測定（Measurement）を行う。その結果、端末は、マクロ基地局からの信号との干渉が少ない状態で測定を行えるため、測定するＯＦＤＭシンボルのタイミングを限定せずに測定するときよりも良好な測定結果を得ることができる。したがって、端末がピコセルに接続中であるときは、ピコセルへの接続を維持しやすい。その結果、マクロセルの負荷をピコセルに分散した状態を継続できる。また、端末がマクロセルに接続しているとき、ピコセルへのハンドオーバが行われやすくなる。その結果、マクロセルの負荷をピコセルに分散できる。
【０１１６】
なお、上記各実施形態では、ＯＦＤＭシンボルの考慮を自セルの測定のみに適用していたが、隣接セルの測定にも適用してもよい。例えば、基地局（DeNB）は、測定設定（Measurement Configuration）の中に、測定リソース制限（Measurement Resource Restriction）と共に、ＯＦＤＭシンボル考慮フラグを含めても良い。また、自セルから送られる測定設定にＯＦＤＭシンボル考慮フラグが含まれる場合、端末は、隣接セルの測定もＯＦＤＭシンボルを考慮して行っても良い。また、自セルの測定時に測定したＲＳＳＩを隣接セルのＲＳＳＩとして用いてもよい。
【０１１７】
なお、上記各実施形態では、ＲＲＭの測定、すなわち、ＲＳＲＰとＲＳＳＩの両方に適用する場合を説明したが、ＲＳＳＩのみに適用してもよい。これは、干渉電力がＲＳＳＩに反映されるため、ＲＳＳＩにのみ適用することにより、平均化するサンプル数を多くすることができるため、より測定精度を高めることができるためである。
【０１１８】
なお、上記各実施形態では、ＣＲＳを用いてＲＲＭの測定を行う方法を説明したが、本発明は、ＣＲＳ以外の参照信号、例えばＣＳＩ−ＲＳ（Channel State Information Reference Signal）を用いてＲＲＭの測定を行う場合にも適用することができる。
【０１１９】
なお、上記各実施形態では、ＲＲＭ（Radio Resource Management）用の測定について説明したが、ＣＳＩ（Channel state Information）用の測定にも本発明は適用することが可能である。すなわち、端末は、ＯＦＤＭシンボルを考慮する場合、ＣＳＩ測定を行うサブフレームにおいて、ＰＤＣＣＨを含まないＯＦＤＭシンボルで、ＣＳＩ測定を行う。なお、端末は、本発明をＣＳＩ測定時のＲＳＳＩの測定にのみ、適用してもよい。
【０１２０】
なお、上記各実施形態では、ＲＲＭ用の測定について説明したが、ＲＬＭ（Radio Link Monitoring）にも適用することが可能である。すなわち、端末は、ＯＦＤＭシンボルを考慮する場合、ＲＬＭを行うサブフレームにおいて、ＰＤＣＣＨを含まないＯＦＤＭシンボルで、ＲＬＭを行う。
【０１２１】
なお、上記各実施形態において、端末が自セルの測定サブフレームパターンを受信した際の動作を説明したが、本発明は、端末が自セル用の測定サブフレームパターンを受信しなくても適用することができる。すなわち、自セル用の測定サブフレームパターンの代わりに、端末が決めた測定するサブフレームに対して、本発明を適用することにより、ＯＦＤＭシンボル間の干渉電力の違いを考慮して測定することができる。
【０１２２】
上記各実施形態では、本発明をハードウェアで構成する場合を例にとって説明したが、本発明はハードウェアとの連携においてソフトウェアでも実現することも可能である。
【０１２３】
また、上記各実施形態の説明に用いた各機能ブロックは、典型的には集積回路であるＬＳＩとして実現される。これらは個別に１チップ化されても良いし、一部又は全てを含むように１チップ化されても良い。ここでは、ＬＳＩとしたが、集積度の違いにより、ＩＣ、システムＬＳＩ、スーパーＬＳＩ、ウルトラＬＳＩと呼称されることもある。
【０１２４】
また、集積回路化の手法はＬＳＩに限るものではなく、専用回路又は汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。
【０１２５】
さらには、半導体技術の進歩又は派生する別技術によりＬＳＩに置き換わる集積回路化の技術が登場すれば、当然、その技術を用いて機能ブロックの集積化を行っても良い。バイオ技術の適用等が可能性としてありえる。
【産業上の利用可能性】
【０１２６】
本発明に係る無線通信端末は、ＭＢＳＦＮサブフレームを運用する基地局がその配下の端末に割当可能なサブフレーム数を減らすことなく、端末との接続が優先される別の基地局との接続維持又は当該別の基地局への接続切替を行う無線通信端末等として有用である。
【符号の説明】
【０１２７】
１０１  受信部
１０３，２０３，３０３，４０３，５０３  制御部
１０５  送信部
１１１，２１１  測定管理部
１１３，２１３，３１３，４１３，５１３  測定制御部
１２１，２２１  ＯＦＤＭ考慮自セル測定部
１２３  隣接セル測定部
２３１，３３１，４３１，５３１  ＯＦＤＭ考慮判定部
１５１  受信部
１５３，２５３  制御部
１５５  送信部
１６１，２６１  個別制御情報作成部
１６３  ＭＢＳＦＮサブフレーム管理部
【図１】
2014150300.tif 000003
【図２】
2014150300.tif 000004
【図３】
2014150300.tif 000005
【図４】
2014150300.tif 000006
【図５】
2014150300.tif 000007
【図６】
2014150300.tif 000008
【図７】
2014150300.tif 000009
【図８】
2014150300.tif 000010
【図９】
2014150300.tif 000011
【図１０】
2014150300.tif 000012
【図１１】
2014150300.tif 000013
【図１２】
2014150300.tif 000014
【図１３】
2014150300.tif 000015
【図１４】
2014150300.tif 000016
【図１５】
2014150300.tif 000017
【図１６】
2014150300.tif 000018
【図１７】
2014150300.tif 000019
【図１８】
2014150300.tif 000020